(57)【特許請求の範囲】
【請求項１】
遊技機と遊技媒体貸出機を交互に並設した遊技機列を間隙を持って背中合わせに配置した遊技機島を設け、前記遊技媒体貸出機の薄板状体排出口と連通する薄板状体受入口が配設され、前記薄板状体受入口から受け入れた薄板状体を上下姿勢で保持して搬送するように前記遊技機島の間隙内に設けられた薄板状体搬送装置において、駆動部により前記薄板状体搬送装置の全長にわたり回動する１つの無端回動材と、
前記無端回動材の全長に沿って設けられた溝状の搬送路を有する搬送レールと、
上部が前記無端回動材の側面に固定されると共に、
下方部が前記搬送レールの両内壁面に接触して設けられ、前記無端回動材と共に前記搬送レールの両内壁面と摺動移動する複数の搬送手段とから成り、
薄板状体は、前記搬送レールの内壁面と前記搬送手段との間に上下姿勢で挟持され、前記搬送手段と共に移動して前記搬送レールの内壁面に沿って搬送されることを特徴とする薄板状体搬送装置。
【請求項２】
前記搬送手段の下部は弾性体を有し、
前記弾性体と前記搬送レール内壁面との間に前記薄板状体を挟持する側の前記弾性体の表面は摩擦抵抗が大きい材質からなると共に、
前記弾性体の反対側面は摩擦抵抗の小さい材質からなり、
前記搬送手段は、前記弾性体によって前記搬送レールの溝の内壁面に一定の圧力で接して設けられ、前記薄板状体を押圧付勢して摩擦力により挟持搬送するようにしたことを特徴とする請求項１記載の薄板状体搬送装置。
【請求項３】
前記搬送レールの内壁面に凹部を設け、前記搬送レールの内壁面に対応する前記搬送手段の片面に凸部を設けて前記凹部と前記凸部は小間隙を有して係合されることを特徴とする請求項１記載の薄板状体搬送装置。
【請求項４】
前記搬送レールの前記薄板状体が通過移動しない端部に前記搬送手段の摺動面清掃用の洗浄手段を設けたことを特徴とする請求項１記載の薄板状体搬送装置。
【発明の詳細な説明】
【０００１】
【発明の属する技術分野】
本発明は、遊技機列に複数台配置された遊技媒体貸出機に投入された紙幣等の薄板状体を、各遊技媒体貸出機から受け入れて搬送する遊技機列等における薄板状体搬送装置に関する。
【０００２】
【従来の技術】
従来、実開昭６１−１９６３７３において公知のように、複数の遊技機間に遊技媒体貸出機が配設された遊技機列の２列を背中合わせに配置した島（遊技機島）において、狭持搬送装置は、無端のメインベルトとこのメインベルトの外側に接する無端の補助ベルトを設け、両ベルトの接触面が同一方向に移動するように回動させ、両ベルト間に紙幣等を挟持して該両ベルトの移動と共に搬送するものであった。
さらに詳細に説明すると、図１２及び図１３に示すように、一列が復数台よりなる遊技機列の二列を、間隙を隔てて背中合わせ状態に配設した遊技設備において、図１４に示すように、複数の遊技機間には、紙幣６を上下姿勢で受入れ、かつ受入れた紙幣６の真がんを識別する識別部が内蔵された紙幣処理機５である遊技媒体貸出機が配設されるとともに、遊技機列間の間隙内に、紙幣６を上下姿勢に挟持して搬送する挟持搬送装置を配設し、紙幣処理機５の紙幣排出口と挟持搬送装置の紙幣導入口とを連通させ、紙幣は移動するメインベルトと補助ベルト間に挟持され両ベルトと共に挟持搬送されるものであった。
【０００３】
【発明が解決しようとする課題】
しかしながら、上記従来の技術では、回動メインベルトと補助ベルトの間に紙幣を挟持して搬送するため、回動メインベルトの外側に沿って補助ベルトを設けることになり、この補助ベルトを取り付けるために多くのスペースと回動するための駆動部を必要とするとともに、余分なベルトを必要とするためにメンテナンス上余分な手間がかかり、コストも高いものとなっていた。特に、複数の紙幣導入口を有する遊技機列に用いられる狭持搬送装置では、各紙幣導入口に対応して複数の補助ベルトを設ける必要がある。このため、遊技機列に使用される狭持搬送装置では、メインベルトの他にこのメインベルトと協動する複数の補助ベルトを必要とするため、構造が複雑になっていた。すなわち、各補助ベルトを夫々に駆動する場合、そのための駆動部を各補助ベルトに設けると共に、紙幣をメインベルトと各補助ベルト間に挟持するために、夫々の補助ベルトをメインベルトに適切に押圧するための押圧装置や各補助ベルトに張力を与えるための張力付加装置等を必要としていたために複雑な構造を成していた。このため、狭持搬送装置の保守管理に多くの時間と労力を要していた。又、ベルトの本数が多いため、いたみ易くベルト交換等を度々行う必要があった。このため、装置の高コスト化をまねくとともに、メンテナンス中は、プレイを中断し遊技者に多大な迷惑をかけ、しかも遊技機の稼働率を大きく下げるという問題があった。本発明は、このような従来の問題に対処するためになされたものであり、その課題は、ベルト本数を減らすと共に、構造を簡素にして保守管理を容易にし、労力と時間のかからない薄板状体搬送装置を提供するとともに、遊技機等に使用される場合においては遊技機の稼働率を向上できる薄板状体搬送装置を提供することにある。
【０００４】
【課題を解決するための手段】
上記課題を解決するため、本発明に係わる薄板状体搬送装置は、遊技機と遊技媒体貸出機を交互に並設した遊技機列を間隙を持って背中合わせに配置した遊技機島を設け、前記遊技媒体貸出機の薄板状体排出口と連通する薄板状体受入口が配設され、前記薄板状体受入口から受け入れた薄板状体を上下姿勢で保持して搬送するように前記遊技機島の間隙内に設けられた薄板状体搬送装置において、駆動部により前記薄板状体搬送装置の全長にわたり回動する１つの無端回動材と、前記無端回動材の全長に沿って設けられた溝状の搬送路を有する搬送レールと、上部が前記無端回動材の側面に固定されると共に、下方部が前記搬送レールの両内壁面に接触して設けられ、前記無端回動材と共に前記搬送レールの両内壁面と摺動移動する複数の搬送手段とから成り、薄板状体は、前記搬送レールの内壁面と前記搬送手段との間に上下姿勢で挟持され、前記搬送手段と共に移動して前記搬送レールの内壁面に沿って搬送されることを特徴とする。
【０００５】
また、前記搬送手段の下部は弾性体を有し、前記弾性体と前記搬送レール内壁面との間に前記薄板状体を挟持する側の前記弾性体の表面は摩擦抵抗が大きい材質からなると共に、前記弾性体の反対側面は摩擦抵抗の小さい材質からなり、前記搬送手段は、前記弾性体によって前記搬送レールの溝の内壁面に一定の圧力で接して設けられ、前記薄板状体を押圧付勢して摩擦力により挟持搬送するようにしたことを特徴とする。
【０００６】
さらに、前記搬送レールの内壁面に凹部を設け、前記搬送レールの内壁面に対応する前記搬送手段の片面に凸部を設けて前記凹部と前記凸部は小間隙を有して係合されることを特徴とする。
【０００７】
さらにまた、前記搬送レールの前記薄板状体が通過移動しない端部に前記搬送手段の摺動面清掃用の洗浄手段を設けたことを特徴とする。
【０００８】
【発明の実施の形態】
以下本発明の実施の形態を図１ないし図５に基づいて説明する。図１は本発明の実施例に係わる薄板状体搬送装置の概略平面図、図２は図１の側面図、図３は本発明の薄板状体搬送装置と搬送レールの説明図、図４（Ａ）は図１のＣ−Ｃ断面図を表わし搬送手段が薄板状体を搬送中の場合を示す説明図、図４（Ｂ）はＤ−Ｄ断面図を表わし搬送手段が薄板状体を搬送していない場合を示す説明図、図５は本発明の実施例に係わる搬送手段と搬送レールの内壁面とのすき間の説明図である。
【０００９】
図１は遊技機島１７０（図１２及び図１３参照）に配置される紙幣等の薄板状体を搬送する装置に関するもので、薄板状体搬送装置（以下、紙幣搬送装置ともいう）１０１は、モータ１０２により駆動され薄板状体搬送装置１０１の全長にわたり水平に回動する無端の回動材である無端ベルト１０３を有している。この無端ベルト１０３には薄板状体（以下、紙幣ともいう）１１０を搬送するための複数の搬送手段１０４が取着されている。図２乃至図５に示すように、該搬送手段１０４は薄い支持板１０５を有し、支持板１０５の上部は無端ベルト１０３の側面に取り付けられ、支持板１０５の下部の両面にウレタンゴム等の弾性体１０６を取着し、弾性体１０６の両面又は片面（図３及び図４は片面の場合を示す）に薄板状体１１０を狭持するようになっている。さらに、搬送手段１０４と無端ベルト１０３の全長に沿って設けられた溝状の搬送路を有する搬送レール１１１と接触する薄板状体１１０を挟持しない側の弾性体１０６表面には摩擦抵抗の少ない材質からなる摺動体１０７をはり付けている。また、この弾性体１０６の反対面（薄板状体１１０を挟持する側）には、摩擦抵抗の大きい材質の挟持材１０８（例えば、ゴム製テープ等）を上下２列に平行にはり付け、２条の凸部１０９を形成している（図１０参照）。この支持板１０５の薄板状体１１０を挟持する側の凸部１０９に相対する搬送レール１１１の内壁１１２の表面は、凸部１０９に合わせて２条の平行な凹部１１３を形成している。なお、ここでは、凸部１０９が２条の場合の説明をしたが、この凸部１０９は１条でも又は２条以外の複数条であってもかまわない。
【００１０】
この搬送手段１０４により薄板状体１１０を搬送レール１１１の内壁１１２との間で挟持搬送するときには、該薄板状体１１０は、凸部１０９の表面と搬送レール１１１の内壁１１２に設けられた深さの小さい凹部１１３との間で薄板状体１１０が挟まれると、凹凸で折り曲げられた薄板状体１１０の復元力が発生することで摩擦力の増大により挟持搬送される。このとき、弾性体１０６は搬送レール１１１の内壁１１２に押圧力を発生するように、搬送レール１１１の内幅よりも大きい厚さ寸法に形成されているので、搬送手段１０４に取着した弾性体１０６により搬送レール１１１の内壁面１１２に対し反力により押圧力を発生する。この内壁面１１２に対する押圧力によって薄板状体１１０との間に摩擦力を発生し、無端ベルト１０３の回動により、薄板状体１１０は搬送レール１１１の内壁１１２との間で滑り搬送手段１０４により挟持搬送される。
【００１１】
ここに、紙幣と凸部１０９の表面間の摩擦係数μ、紙幣と搬送レール１１１の内壁１１２間の摩擦係数μ（０）、紙幣１０４の重量ｗ、弾性体１０６による押圧力Ｐとすると、搬送手段１０４により挟持搬送する際に紙幣を搬送するための搬送手段１０４による保持力ｆは、ｆ＝μＰ−（μ（０）・Ｐ＋ｗ）
となる。例えば、ここに、凸部１０９表面の挟持材１０８の材質をゴムとすると、紙幣との摩擦係数μ≒０．８、紙幣と搬送レール１１１の内壁１１２との摩擦係数μ（０）≒０．３、紙幣の重量ｗ≒１．２ｇ、弾性体１０６による押圧力Ｐ≒１０ｇとすると、紙幣を挟持搬送するための搬送手段による保持力ｆは計算上、ｆ＝６．５ｇとなる。この搬送手段１０４の保持力ｆ＝６．５ｇ以外に紙幣に働く力がないので、これによって回動材である無端ベルト１０３を回動することにより紙幣は搬送手段１０４と搬送レール１１１の内壁１１２に挟持されて搬送されることが明白である。
【００１２】
この紙幣の搬送については、実際に簡単な実験機を作り、実際に動かして実験した結果、搬送手段１０４により、確実に紙幣が挟持搬送されることが確認された。したがって、上述のように、本発明によれば押圧材（例えば、バネや弾性体等）の反力により搬送手段１０４と搬送レール１１１の内壁１１２間に薄板状体１１０を挟持する場合、搬送手段１０４の狭持材と薄板状体１１０間に摩擦抵抗を大きくする材質の材料（例えば、ゴム状物の狭持体１０８）を用いるようにし、他方、薄板上体１１０と搬送レール１１１の内壁１１２間の方が摩擦抵抗は小さくなるため、この摩擦力の差により薄板状体１１０を挟持しながら搬送することがきる。また、複数の薄板状体受入口１１９より薄板状体１１０が挿入された場合に、無端ベルトの下流側で、薄板状体１１０が搬送レール１１１内に入って待機している状態であっても、紙幣と紙幣の間の摩擦力が小さいので、搬送手段１０４にはり付けた弾性体１０６に押圧されつつ、上流より搬送されて来る薄板状体１１０は待機している下流の薄板状体１１０の上を滑って行くので詰まることがない。
【００１３】
また、搬送手段１０４が薄板状体１１０を挟持搬送していないときには、搬送手段１０４に取着された弾性体１０６の反力により、搬送手段１０４は搬送レール１１１の内壁１１２に押圧されて搬送手段１０４の紙幣挟持用の凸部１０９以外の上下の平面部１１４が対応する搬送レール１１１の内壁の上下の平面部１１５とそれぞれ接するようになっている。このとき、搬送手段１０４の凸部１０９の表面と搬送レール１１１の内壁１１２の凹部１１３との間に小さなすき間ｅ（薄板状体１１０の厚さの数倍にあたる約０．５ミリ）を保つように形成されている。（図５参照）これにより、搬送手段１０４により薄板状体１１０を挟持搬送していない状態で搬送手段１０４が移動するときには、搬送手段１０４の上下の平面部１１４と搬送レール１１１の内壁１１２の上下の平面部１１５とがそれぞれ接し、搬送手段１０４の凸部１０９の表面の挟持材１０８と搬送レール１１１の内壁１１２の凹部１１３との間は接触しないで移動するので、ゴム状物の挟持材１０８の磨耗は発生しない。それとともに、上述した凹凸の深さは紙幣が押圧から開放されたときに折り曲げ部が付かない程度の深さとしているので、紙幣にしわがでることがない。
【００１４】
ここに、搬送手段１０４の凸部１０９以外の上下の平面部１１４と搬送レール１１１の内壁１１２の上下の平面部１１５との間は摩擦係数の小さい材質を用いて滑りやすくし、その上に、搬送手段１０４の摩擦の大きい凸部１０９の表面の挟持材１０８は搬送レール１１１の内壁１１２と接することがないので、薄板状体１１０を挟持していないときにおいても、搬送手段１０４はスムーズに搬送レール１１１内を移動することが出来る。次に、遊技機島に本発明の薄板状体搬送装置による紙幣搬送装置を取付けた場合につき、従来例と比較し詳しく説明する。図１２は遊技機島１７０の全体図を示し、図１３は図１２のＤ−Ｄ断面図である。１７１は遊技機、１７２は遊技媒体貸出機である。この遊技機島１７０の２列の遊技列間内部の間隙に薄板状体搬送装置を設置したときの平面図は図１に示す通りである。
【００１５】
図１４に示すように、従来例では、紙幣を挿入した際、直前の上流側に別紙幣が接近している場合には、挿入紙幣をその上流側紙幣が通過するまで待機させなければならないが、その際、挿入紙幣をその先端部がメインベルトに達する直前で一旦止めておかなければならない。何故なら、挿入紙幣をメインベルト４まで出して待機させようとすると、その紙幣先端部はメインベルト４と補助ベルト９により挟持されて引っ張られ紙幣の待機のための保持力との引っ張り合いとなりトラブルの原因となっているからである。そのため、待機中は、紙幣の先端がメインベルトに達する前で保持する必要があった。このため、上流の紙幣が、この紙幣導入口を通過後に保持されている紙幣を搬送させようとするときには、最初に紙幣を押出してその先端部をメインベルト４と補助ベルト９に挟持させると同時に紙幣の保持を解除して搬送させるという２段階の動作が必要となっていた。このため制御が複雑になり、紙幣搬送装置の故障の原因となりやすく、コストも高いものとなっていた。本発明によれば、図１に示すように、遊技媒体貸出機に挿入された薄板状体１１０が真札と判定され、該遊技媒体貸出機の薄板状体排出口に連通して設けられた薄板状体搬送装置１０１の薄板状体受入口１１９を経て搬送レール１１１迄その先端部が達した状態でも、その薄板状体１１０の先端部は搬送ベルトにより挟持されることがないので、薄板状体１１０を待機させるための保持力との引っ張り合いとならないため薄板状体１１０の先端部が搬送レール１１１まで出た状態で待機させることができ、上流側の薄板状体１１０は、搬送レール１１１中に先端が頭出した待機中の薄板状体１１０の上を通過して下流側に送ることができる。これは、搬送手段１０４により搬送中の上流側薄板状体１１０が待機中の薄板状体１１０の先端部分とすれちがう際の両紙幣間の摩擦は、搬送手段１０４の狭持体１０８と紙幣間の摩擦よりもはるかに小さいため、搬送手段１０４により上流側薄板状体１１０が待機中の薄板状体１１０の上を滑り通過出来るものである。
【００１６】
さらに、前述のように、本発明によれば従来例のように補助ベルトを必要としないため、紙幣搬送装置１０１の幅を小さく出来るため、遊技機島の２列の遊技機列間に薄板状体搬送装置を取付ける場合、その遊技列間の間隙を利用出来るので、遊技機島全体をコンパクトに形成することが出来る。したがって、遊技場のスペースを有効に使用出来るとともに、遊技機島そのもののコストを小さくすることができるという大きな長所がある。
【００１７】
また、搬送手段１０４が搬送レール１１１のＲ部におけるプーリ１２０を通過するとき図１及び図６に示すように、このＲ部のカーブによって搬送手段１０４の支持板１０５にねじりが生じるので、スプリング材等の弾性のある材質の薄板を用いる。又、ねじりに対しより良く対応出来るようにするために、図６に示すように支持板１０５と無端ベルト１０３の側面との取付部をコの字状に形成し、さらにＲ部での搬送手段１０４の移動がスムーズになるようにするため、図１１に示すように、支持板１０５を真中で二つ割りにして弾性体１０６のはり付け面の上下を弾力性のある接続体１６０をはり付けて接続して折り曲げられるようにして、図１１（Ａ）に示す搬送手段１０４のＤ矢視図の図１１（Ｂ）のように形成し、搬送手段１０４が搬送レール１１１のＲ部を通過するとき、図１１（Ｃ）に示すように、Ｒ部に沿って変形しスムーズに搬送移動できるようにしている。なお、接続体１６０は２つに折り曲がる丁番等を使用してもよい。
【００１８】
以上説明したように、本発明によれば、搬送手段１０４の挟持摩擦力により搬送レール内において薄板状体１１０を確実に搬送できると共に、下流側に紙幣が待機している場合でも、上流側の薄板状体１１０は詰まることなく、この下流側紙幣の上を滑り搬送し、しかも搬送手段１０４と搬送レール１１１の内壁間に薄板状体１１０を挟持していない場合においても、搬送手段１０４をスムーズに確実に移送することが出来る薄板状体搬送装置１０１を提供できる。また、この薄板状体搬送装置１０１においては、回動するのは１つの無端の回動材である無端ベルト１０３と、それに接し付随して移動する搬送手段１０４のみであるので、モータ１０２等の動力源は最小限の１ケにより駆動ベルト１１８等を介して無端ベルト１０３を駆動し搬送することが出来る（図２参照）。これにより、動力源の制御装置も最も簡単なものとなり故障等も最小限におさえることが出来るので、保守管理を容易に行うことが出来る。また、スペースを取らない構造であるため、遊技機島内の間隙が狭くても、この搬送装置を配置することが出来るので、種々の遊技場に対応して設置することが可能である。
【００１９】
さらに、本発明の実施例２として、図７に示すように、搬送レール１１１で１つの遊技機島の両側の遊技機列の紙幣を搬送することが可能な構造を形成することができる。１本の搬送レール１３０内を搬送手段１３１により片面に紙幣を挟持して搬送するもので、搬送手段１０４の薄板状体受入口１３２が搬送レール１３０の左右に互い違いに設けられる場合に使用することが出来る。この場合、搬送手段としては、図４（Ａ）及び（Ｂ）に示す実施例におけると同様の搬送手段と、該搬送手段と紙幣の狭持側が左右反対となるものとを交互に搬送レール１３０内に配置して使用することができる。
【００２０】
図８は実施例３の場合で、１本の搬送レール１４０内を搬送手段１４１により、両面に紙幣を挟持して搬送できる構造となっており、薄板状体受入口１４２が搬送レール１４０の左右に向き合う位置に配置され、左右の薄板状体受入口１４２から搬送手段１４１により同時に紙幣を左右に挟持して搬送できる構成となっている。搬送手段１４１は図８のＥ−Ｅ断面図である図９に示すように、搬送レール１４０の左右の内壁面１４３および１４４に対して接する搬送手段１４１の左右両面に前述した摩擦抵抗の大きい挟持体１０８（実施例１参照）をはりつけた凸面１４７を有し、薄板状体１１０を挟持搬送できるようになっている。この場合、支持板１４５の左右にはウレタンゴム等の弾性体１４６をはり付けて、搬送レールの内壁による反力で紙幣に押圧を与えるようにしている。その他に関しては実施例１に同じである。
【００２１】
また、図１に示すように搬送レール１１１の端部に搬送手段１０４の汚れ防止用の清掃手段１５０を設けて、搬送手段１０４の摺動面の汚れを取り除くようにして、メンテナンスの手間がかからない構成としている（図１参照）。さらに、ワンタッチでベルト等の回動材１０３の清掃手段（不図示）を搬送手段１０４と同じに取付け出来るよう構成し、薄板状体搬送装置１０１の稼働していないときに、この清掃手段を回動材１０３と共に回動し摺動面を清掃するように構成している。
【００２２】
【発明の効果】
以上説明したように、本発明の薄板状体搬送装置によると、１つの無端ベルトと、この無端ベルトに沿って全長にわたり設けられた溝状の搬送路を有する搬送レールとこの搬送レール内を摺動して移動する搬送手段からなる搬送装置とすることにより、ベルト本数を減らすと共に、動力源を無端ベルト駆動用の１ケのみとすることが出来るので、構造を簡素にして小スペース化を計れるとともに保守管理を容易にし、労力と時間のかからない薄板状体搬送装置を提供できる効果がある。また、遊技機列の間に薄板状体搬送装置を使用した場合には、前述したように保守管理を容易にし、遊技機の稼働率を向上できるとともに、薄板状体受入口より挿入された紙幣の先端が搬送レールまで頭出した待機状態でも、上流側の紙幣が下流側の待機中の紙幣の上を滑って通過出来るので紙幣を１枚づつ確実にしかもスムーズに下流側のスタッカーに挿入出来る紙幣搬送装置を提供できる効果がある。
【図面の簡単な説明】
【図１】本発明の実施例に係わる薄板状体搬送装置の概略平面図である。
【図２】図１の側面図である。
【図３】本発明の搬送手段と搬送レールの説明図である。
【図４】本発明に係る搬送手段の説明図であり、（Ａ）は図１のＣ−Ｃ断面図を表し、搬送手段が薄板状体を搬送中の場合を示す説明図、（Ｂ）はＤ−Ｄ断面図を表し、図１のＤ−Ｄ断面図を表わし搬送手段が薄板状体を搬送していない場合を示す説明図である。
【図５】本発明の実施例に係わる搬送手段と搬送レールの内壁面とのすき間の説明図である。
【図６】本発明の実施例に係わる搬送手段の支持板の説明図であり、（Ａ）はその概略説明図、（Ｂ）は、図（Ａ）のＥ−Ｅ断面図である。
【図７】本発明の実施例に係わる実施例２における搬送レール１本の薄板状体搬送装置の概略説明図である。
【図８】本発明の実施例に係わる実施例３の搬送レール１本の薄板状体搬送装置の概略説明図である。
【図９】図８のＦ−Ｆ断面図を示し、本発明の実施例に係わる実施例３の搬送手段の説明図である。
【図１０】搬送手段と搬送レールの接触面の詳細説明図である。
【図１１】本発明に係る搬送手段の一例を示す説明図であり、（Ａ）はその概略説明図、（Ｂ）は（Ａ）のＤ矢視図、（Ｃ）は（Ｂ）のＲ部通過時の説明図である。
【図１２】遊技島全体の概略説明図である。
【図１３】図１２のＤ−Ｄ断面図である。
【図１４】従来の紙幣搬送装置を示す説明図である。
【符号の説明】
１０１  薄板状体搬送装置
１０２  モータ
１０３  無端ベルト（無端回動材）
１０４  搬送手段
１０５  支持板
１０６  弾性体
１０７  摺動体
１０８  挟持体
１０９  凸部
１１０  薄板状体
１１１  搬送レール
１１２  内壁
１１８  駆動ベルト
【図１】
0004394275.tif 000002
【図２】
0004394275.tif 000003
【図３】
0004394275.tif 000004
【図４】
0004394275.tif 000005
【図５】
0004394275.tif 000006
【図９】
0004394275.tif 000007
【図６】
0004394275.tif 000008
【図７】
0004394275.tif 000009
【図８】
0004394275.tif 000010
【図１０】
0004394275.tif 000011
【図１１】
0004394275.tif 000012
【図１２】
0004394275.tif 000013
【図１３】
0004394275.tif 000014
【図１４】
0004394275.tif 000015